(57)【要約】【課題】映像表示装置で番組の放送はなされているものの、映像表示装置で番組を視聴できない状態だけでなく、ユーザーが番組を視聴していない状態や、映像表示装置に表示されている映像とデジタル放送受信機が映像表示装置に出力している映像が異なる状態においてもデジタル放送受信機の電源を切ることができ、デジタル放送受信機の無駄な電力消費を防止できる。【解決手段】本発明のデジタル放送受信機は、映像信号を映像表示装置に出力する映像出力端子と、前記映像表示装置に表示される映像信号を入力する映像入力端子と、前記映像出力端子から出力される映像信号と、前記映像入力端子に入力される映像信号とを比較する波形比較回路と、前記波形比較回路の比較結果に基づき、デジタル放送受信機の電源をオフする制御部と、を備える。【選択図】図１
2010141626.tif 000002
【特許請求の範囲】
【請求項１】
映像信号を映像表示装置に出力する映像出力端子と、
前記映像表示装置に表示される映像信号を入力する映像入力端子と、
前記映像出力端子から出力される映像信号と、前記映像入力端子に入力される映像信号とを比較する波形比較回路と、
前記波形比較回路の比較結果に基づき、デジタル放送受信機の電源をオフする制御部と、
を備えたことを特徴とするデジタル放送受信機。
【請求項２】
前記制御部は、
前記映像出力端子から出力される映像信号と、前記映像入力端子に入力される映像信号とが異なる場合、デジタル放送受信機の電源をオフする
ことを特徴とする請求項１記載のデジタル放送受信機。
【請求項３】
前記波形比較回路は、前記映像出力端子から出力される映像信号及び前記映像入力端子に入力される映像信号の電圧を測定する実効値電圧計と、
前記実効値電圧計で測定した電圧をデジタル信号に変換するＡ／Ｄ変換器と、
を備えたことを特徴とする請求項１又は２に記載のデジタル放送受信機。
【請求項４】
音声信号を映像表示装置に出力する音声出力端子と、
前記映像表示装置から出力される音声信号を入力する音声入力端子と、
前記音声出力端子から出力される音声信号と、前記音声入力端子に入力される音声信号とを比較する波形比較回路と、
前記波形比較回路の比較結果に基づき、デジタル放送受信機の電源をオフする制御部と、
を備えたことを特徴とするデジタル放送受信機。
【請求項５】
前記制御部は、
前記音声出力端子から出力される音声信号と、前記音声入力端子に入力される音声信号とが異なる場合、デジタル放送受信機の電源をオフする
ことを特徴とする請求項４記載のデジタル放送受信機。
【請求項６】
前記波形比較回路は、前記音声出力端子から出力される音声信号及び前記音声入力端子に入力される音声信号の電圧を測定する実効値電圧計と、
前記実効値電圧計で測定した電圧をデジタル信号に変換するＡ／Ｄ変換器と、
を備えたことを特徴とする請求項４又は５に記載のデジタル放送受信機。
【発明の詳細な説明】
【技術分野】
【０００１】
本発明は、デジタル放送を受信するデジタル放送受信機に関し、特に、無駄な電力消費を防止することができるデジタル放送受信機に関するものである。
【背景技術】
【０００２】
デジタル放送受信機が、液晶ディスプレイ（ＬＣＤ）等の表示部を備えていない、いわゆるデジタルセットトップボックス（デジタルＳＴＢ）で構成されている場合において、番組の放送はなされているものの番組を視聴できない状態が続いた場合、その番組を表示部上に表示不可とする状態が発生してから経過時間をカウントし、所定時間経過後にデジタル放送受信機の電源を切断し、無駄な電力消費を防止するものがある（例えば、特許文献１を参照）。
【０００３】
図６は従来に係るデジタル放送受信機１０の構成を示すブロック図である。本図において、ＣＰＵ１４は、番組が放送されているものの、その番組を映像表示装置（図示せず）に表示不可とする状態が発生したことを検出し、表示不可とする状態が発生してからの経過時間をカウントする。ＣＰＵ１４は、所定時間経過後にデジタル放送受信機１０の電源を切断するよう電源制御部１６を制御する。表示不可とする状態とは、番組非契約の場合や年齢制限により視聴不可の場合である。
【特許文献１】特開２００１−１２８０８０号公報
【発明の開示】
【発明が解決しようとする課題】
【０００４】
しかしながら、従来に係るデジタル放送受信機は、番組の放送はなされているものの番組を視聴できない状態以外の状態、例えば、映像表示装置に表示されている映像とデジタル放送受信機が出力している映像が異なる状態においては、デジタル放送受信機の電源を切ることは不可能であった。
【課題を解決するための手段】
【０００５】
上記問題を解決するために、本発明のデジタル放送受信機は、映像信号を映像表示装置に出力する映像出力端子と、前記映像表示装置に表示される映像信号を入力する映像入力端子と、前記映像出力端子から出力される映像信号と、前記映像入力端子に入力される映像信号とを比較する波形比較回路と、前記波形比較回路の比較結果に基づき、デジタル放送受信機の電源をオフする制御部と、を備える。
【発明の効果】
【０００６】
以上のように構成された本発明のデジタル放送受信機によれば、番組の放送はなされているものの、映像表示装置で番組を視聴できない状態だけでなく、映像表示装置で番組を視聴していない状態や、映像表示装置に表示されている映像とデジタル放送受信機が映像表示装置に出力している映像が異なる状態においてもデジタル放送受信機の電源を切ることができ、デジタル放送受信機の無駄な電力消費を防止できる。
【発明を実施するための最良の形態】
【０００７】
（実施の形態１）
図１は本発明のデジタル放送受信システム９０１の全体の構成の一例を示すブロック図である。
【０００８】
デジタル放送受信機８０１は、システムＬＳＩ１０１、映像出力端子２０１、映像入力端子２０２、波形比較回路３０１、マイコン４０１、電源部５０１及びスイッチ手段６０１から構成される。
【０００９】
システムＬＳＩ１０１は、デジタル放送受信機８０１が受信したデジタル放送（ここでは、ＣＡＴＶ局から配信されるデジタル放送とする）に含まれるデジタル映像信号に対し、Ｄ／Ａ変換や映像フォーマット変換等の処理を行い、映像出力端子２０１にアナログ映像信号を出力する。システムＬＳＩ１０１から出力されたアナログ映像信号は、映像出力端子２０１を介して、波形比較回路３０１及び、映像出力端子２０１とＡＶケーブルで接続された映像表示装置７０１に出力される。なお、システムＬＳＩ１０１がＤ／Ａ変換や映像フォーマット変換等の処理を行うデジタル信号や、デジタル放送受信機８０１から映像表示装置７０１に出力されるアナログ信号は、デジタル映像信号やアナログ映像信号に限らずアナログ音声信号その他も含まれるが、ここでは説明を省略する。映像表示装置７０１は、地上デジタルチューナやＢＳチューナを搭載し、デジタル放送受信機８０１を介して入力されるＣＡＴＶ局から配信されるデジタル放送とは異なるデジタル放送（ここでは、地上波デジタル放送とする）を受信可能である。ユーザーは、映像表示装置７０１に入力されるＣＡＴＶ局から配信されるデジタル放送又は地上波デジタル放送のいずれか好みのデジタル放送を選択し楽しむことが出来る。映像表示装置７０１に表示されたデジタル映像信号は、映像表示装置７０１とＡＶケーブルで接続された映像入力端子２０２に出力される。映像入力端子２０２に入力されたアナログ映像信号は、波形比較回路３０１に出力される。
【００１０】
波形比較回路３０１は、一定時間毎に映像出力端子２０１から出力されるアナログ映像信号と映像入力端子２０２から出力されるアナログ映像信号とを比較する。例えば、ユーザーがデジタル放送受信機８０１及び映像表示装置７０１の電源をＯＮ状態にしたまま、デジタル放送受信機８０１を介して映像表示装置７０１でＣＡＴＶ局から配信されるデジタル放送を視聴している場合、映像出力端子２０１から出力されるアナログ映像信号と映像入力端子２０２から出力されるアナログ映像信号は同一と判断される。一方、映像表示装置７０１で地上波デジタル放送を視聴している場合、映像出力端子２０１から出力されるアナログ映像信号と映像入力端子２０２から出力されるアナログ映像信号は異なると判断される。また、ユーザーが映像表示装置７０１の電源のみをＯＦＦし、デジタル放送受信機８０１の電源を切り忘れた場合、波形比較回路３０１に入力される信号は、映像出力端子２０１から出力されるアナログ映像信号のみとなり、映像出力端子２０１から出力されるアナログ映像信号と映像入力端子２０２から出力されるアナログ映像信号は異なると判断される。波形回路３０１は、比較結果をマイコン４０１に渡す。マイコン４０１は波形比較回路３０１から受け取った比較結果に基づき、スイッチ手段６０１を介して、電源部５０１からシステムＬＳＩ１０１に供給する電源の遮断を制御する。
【００１１】
図２は、図１のデジタル放送受信機８０１における波形比較回路３０１の具体的な構成の一例を示すブロック図である。
【００１２】
図２に示す波形比較回路３０１は、第１の実効値電圧計３１１、第２の実行値電圧計３１２と第１のAD変換器３２１、第２のＡＤ変換器３２２から構成される。なお、図１と同一の構成のものには同じ符号を付している。
【００１３】
第１の実効値電圧計３１１は映像出力端子２０１から、第２の実効値電圧計３１２は映像入力端子２０２から、それぞれ出力されたアナログ映像信号の実効値をアナログ電圧に変換する。第１のＡＤ変換機３２１は第１の実効電圧計３１１から、第２のＡＤ変換器３２２は第２の実効値電圧計３１２から、それぞれ出力されたアナログ電圧をデジタル値に変換し、マイコン４０１に出力する。マイコン４０１は、第１のＡＤ変換器３２１、第２のＡＤ変換器３２２から出力されるデジタル値を一定時間ごとに所定の回数監視し、第１のＡＤ変換器３２１、第２のＡＤ変換器３２２から出力されるデジタル値が、所定回数以上異なると判断すると、スイッチ手段６０１に電源部５０１からシステムＬＳＩ１０１に供給する電源を遮断する信号を出力する。
【００１４】
図３は、図２におけるマイコン４０１によるデジタル放送受信機８０１の電源遮断の処理を示すフローチャートである。
【００１５】
デジタル放送受信機８０１の電源をＯＮした状態からスタートする。
【００１６】
マイコン４０１は、第１のＡＤ変換器３２１から出力されるデジタル値と第２のＡＤ変換器３２２から出力されるデジタル値とを比較する回数を示すｎに０をセットする（Ｓ１０１）。次にマイコン４０１は、第１のＡＤ変換器３２１からデジタル値を入手する（Ｓ１０２）。次に、マイコン４０１は、第２のＡＤ変換器３２２からデジタル値を入手する（Ｓ１０３）。その後、マイコン４０１は、第１のＡＤ変換器３２１から入手したデジタル値と第２のＡＤ変換器３２２から入手したデジタル値とを比較する（Ｓ１０４）。マイコン４０１は、第１のＡＤ変換器３２１から入手するデジタル値と第２のＡＤ変換器３２２から入手するデジタル値とを比較する回数を示すｎにｎ＋１をセットし（Ｓ１０５）、予め設定された時間内の予め設定された比較回数を超えるまで、Ｓ１０２〜Ａ１０５を繰り返す（Ｓ１０６）。マイコン４０１は、予め設定された比較回数のうち、第１のＡＤ変換器３２１から入手するデジタル値と第２のＡＤ変換器３２２から入手するデジタル値とが異なると判断する回数が予め設定された回数以上である場合（Ｓ１０７）、スイッチ手段６０１に電源部５０１からシステムＬＳＩ１０１に供給する電源を遮断する信号を出力し（Ｓ１０８）、デジタル放送受信機８０１の電源をオフにする（Ｓ１０９）。
【００１７】
なお、マイコン４０１がスイッチ手段６０１に電源部５０１からシステムＬＳＩ１０１に供給する電源を遮断する信号を出力した後、デジタル放送受信機８０１の電源をＯＦＦするまでの時間は、例えば図４に示すように、映像表示装置７０１にメニュー表示させ、例えば、３分、５分、なしといったようにユーザーに予め選択させることも可能である。
【００１８】
以上のように、本発明のデジタル放送受信機によれば、番組の放送はなされているものの、映像表示装置で番組を視聴できない状態だけでなく、ユーザーが映像表示装置で番組を視聴していない状態や、映像表示装置に表示されている映像とデジタル放送受信機が映像表示装置に出力している映像が異なる状態においてもデジタル放送受信機の電源を切ることができ、デジタル放送受信機の無駄な電力消費を防止できる。
【００１９】
（実施の形態２）
本実施の形態において、図５に示すブロック図は、図１で示すデジタル放送受信装置８０１の映像出力端子２０１と映像入力端子２０２の代わりに、音声出力端子２１１と音声入力端子２１２を用いることで実施形態１と同じ効果を得るものである。
【００２０】
以上のように、本発明のデジタル放送受信機によれば、番組の放送はなされているものの、映像表示装置で番組を視聴できない状態だけでなく、ユーザーが映像表示装置で番組を視聴していない状態や、映像表示装置に表示されている映像とデジタル放送受信機が映像表示装置に出力している映像が異なる状態においてもデジタル放送受信機の電源を切ることができ、デジタル放送受信機の無駄な電力消費を防止できる。
【００２１】
なお、実施の形態１及び実施の形態２においては、デジタル放送受信機が映像表示装置を備えていないいわゆる２体型で構成される場合について説明したが、これに限定されることはなく、デジタル放送受信機が映像表示装置を備える場合についても、適用可能である。
【産業上の利用可能性】
【００２２】
本発明にかかるデジタル放送受信機は、番組の放送はなされているものの、映像表示装置で番組を視聴できない状態だけでなく、ユーザーが映像表示装置で番組を視聴していない状態や、映像表示装置に表示されている映像とデジタル放送受信機が映像表示装置に出力している映像が異なる状態においてもデジタル放送受信機の電源を切ることができるため、無駄な電力消費を防止することができる点において有用である。
【図面の簡単な説明】
【００２３】
【図１】本発明の実施の形態１におけるデジタル放送受信機システムの全体の構成の一例を示すブロック図
【図２】本発明の実施の形態１におけるデジタル放送受信機における波形比較回路の具体的な構成の一例を示すブロック図
【図３】本発明の実施の形態１におけるマイコンによるデジタル放送受信機の電源遮断の処理を示すフローチャート
【図４】本発明の実施の形態１における映像表示装置への表示の一例を示す図
【図５】本発明の実施の形態２におけるデジタル放送受信機システムの全体の構成の一例を示すブロック図
【図６】従来のデジタル放送受信システムの構成を示すブロック図
【符号の説明】
【００２４】
１０１    システムＬＳＩ
２０１    映像出力端子
２０２    映像入力端子
２１１    音声出力端子
２１２    音声入力端子
３０１    波形比較回路
３１１    第１の実効値電圧計
３１２    第２の実効値電圧計
３２１    第１のＡＤ変換器
３２２    第２のＡＤ変換機
４０１    マイコン
５０１    電源部
６０１    スイッチ手段
７０１    映像表示装置
８０１    デジタル放送受信機
９０１    デジタル放送受信システム
【図１】
2010141626.tif 000003
【図２】
2010141626.tif 000004
【図３】
2010141626.tif 000005
【図４】
2010141626.tif 000006
【図５】
2010141626.tif 000007
【図６】
2010141626.tif 000008